(57)【要約】【課題】床材表面に汚れが溜まりにくく、目詰まりしにくいため、透水性の機能を長期間維持できる保水性床材を提供すること。【解決手段】床材表面に、足裏を支持する多数の突起部と、隣接する突起部の間に形成される凹部とを備え、前記凹部が、足を踏み込んだときに足裏が接触しない程度の深さを有するものとした。【選択図】図１
2009102938.tif 000002
【特許請求の範囲】
【請求項１】
床材表面に、足裏を支持する多数の突起部と、隣接する突起部の間に形成される凹部とを備え、前記凹部が、足を踏み込んだときに足裏が接触しない程度の深さを有していることを特徴とする保水性床材。
【請求項２】
凹部が、深さ２ｍｍ〜５ｍｍ、ピッチ５ｍｍ〜２５ｍｍの凹溝であり、床材の縦断面形状が、波形、山形、もしくは鋸歯形であることを特徴とする請求項１記載の保水性床材。
【請求項３】
凹溝の長さ方向の少なくとも一端が、床材の周縁で開口しているとともに、
凹溝の底部が、長さ方向に１／２００〜１／５０の勾配で、開口端に向かって下方傾斜していることを特徴とする請求項２記載の保水性床材。
【請求項４】
凹溝の底部が、非透水性被膜で覆われていることを特徴とする請求項２または３に記載の保水性床材。
【発明の詳細な説明】
【技術分野】
【０００１】
本発明は、道路、ガレージ、ベランダ、屋上等に敷設される床材に関するもので、特に、床材の内部に雨水等の水分を保持させることができる保水性床材に関するものである。
【背景技術】
【０００２】
従来、この種の保水性床材としては、例えば、ガラス粉砕粒子や陶器粉砕粒子を焼結した焼結板、素焼きタイル、素焼きレンガといった焼成板からなる多孔質材料で形成されたものがある。この保水性床材は、内径０．０１ｍｍ〜０．１ｍｍの微細な空隙を多数有しており、床材表面から雨水等の水分を吸収した後、床材の内部に存在する微細な空隙の中に水分を保持するものである。
しかしながら、この保水性床材は、床材の内部に空隙を有しているだけでなく、床材の表面にも空隙が露出しており、床材の表面に微細な凹部が上向きに多数形成されている。
そのため、床材の表面に粉塵やほこりが付着したり、履物の裏面の汚れなどが、足で踏み込まれて、微細な凹部にめり込んでしまいやすく、床材表面の美観が低下してしまう上、床材表面から水分を吸収する能力が著しく低下してしまうという問題があった。
【０００３】
一方、保水性基板の表面に、部分的に非透水性塗料を塗布することにより、床材の表面に汚れが付着するのを軽減するようにした保水性床材が提案されている（例えば、特許文献１参照）。
しかしながら、この保水性床材は、非透水性被膜を形成しないものに比べて、床材表面から水分を吸収する能力が低い上、透水性を有する部分が、非透水性被膜を形成した部分よりも低くなるため、透水性を有する部分に汚れが溜まりやすく、床材表面から水分を吸収する能力が一層低下してしまうという問題がある。
【特許文献１】特開２００３−１０５９５７号公報
【発明の開示】
【発明が解決しようとする課題】
【０００４】
本発明は、上記問題点に鑑みてなされたものであって、床材表面に汚れが溜まりにくく、目詰まりしにくいため、透水性の機能を長期間維持できる保水性床材を提供することにある。
【課題を解決するための手段】
【０００５】
上記課題を解決するために、請求項１記載の発明の保水性床材は、床材表面に、足裏を支持する多数の突起部と、隣接する突起部の間に形成される凹部とを備え、前記凹部が、足を踏み込んだときに足裏が接触しない程度の深さを有していることを特徴とする。
【０００６】
請求項２記載の発明は、請求項１記載の発明において、凹部が、深さ２ｍｍ〜５ｍｍ、ピッチ５ｍｍ〜２５ｍｍの凹溝であり、床材の縦断面形状が、波形、山形、もしくは鋸歯形であることを特徴とする。
本発明において、床材の縦断面形状を波形、山形、もしくは鋸歯形とした理由は、凹溝の内面に傾斜をつけることで、斜面部分に付着した汚れを雨水等で凹溝の底部に洗い流しやすくするためである。
本発明において、凹溝の深さを２ｍｍ〜５ｍｍの範囲とした理由は、深さが２ｍｍ未満であると、足を強く踏み込んだときに、凹溝の内部に足裏が接触する恐れがあり、深さが５ｍｍを超えると、凹溝による床材の体積減少が大きく、十分な保水性能が得られない恐れがあるからである。
また、本発明において、凹溝のピッチを５ｍｍ〜２５ｍｍの範囲とした理由は、ピッチが５ｍｍ未満であると、溝幅が狭すぎて、凹溝の内部がすぐに汚れで埋まってしまう恐れがあり、ピッチが２５ｍｍを超えると、足を強く踏み込んだときに、凹溝の内部に足裏が接触する恐れがあるからである。
【０００７】
請求項３記載の発明は、請求項２記載の発明において、凹溝の長さ方向の少なくとも一端が、床材の周縁で開口しているとともに、凹溝の底部が、長さ方向に１／２００〜１／５０の勾配で、開口端に向かって下方傾斜していることを特徴とする。
本発明において、凹溝の底部の勾配を１／２００〜１／５０とした理由は、勾配が１／２００未満であると、十分な排水能力が得られにくい恐れがあり、１／５０を超えると、傾斜が目立ちやすく、外観上好ましくないからである。
【０００８】
請求項４記載の発明は、請求項２または３に記載の発明において、凹溝の底部が、非透水性被膜で覆われていることを特徴とする。
【発明の効果】
【０００９】
本発明の保水性床材は、床材表面に、足裏を支持する多数の突起部と、隣接する突起部の間に形成される凹部とを備え、前記凹部が、足を踏み込んだときに足裏が接触しない程度の深さを有しているので、床材の表面に粉塵やほこりが付着したり、履物の裏面の汚れなどが、足で踏み込まれて、凹部に押し固められてしまうのを防止できる。その結果、床材表面の美観および床材表面から水分を吸収する能力を長期間良好に保つことができる。
【００１０】
また、凹部が、深さ２ｍｍ〜５ｍｍ、ピッチ５ｍｍ〜２５ｍｍの凹溝であり、床材の縦断面形状が、波形、山形、もしくは鋸歯形であるものでは、歩行時の違和感がない上、足を強く踏み込んでも、足裏が凹溝内に接触するのを確実に回避できる。
また、凹溝内に傾斜面を有するため、傾斜面に付着した汚れを雨水等で洗い流して凹溝の底部に集めることができ、傾斜面の目詰まりを防止できるため、床材表面から水分を吸収する能力をより一層長期間良好に保つことができる。
【００１１】
また、凹溝の長さ方向の少なくとも一端が、床材の周縁で開口しているとともに、凹溝の底部が、長さ方向に１／２００〜１／５０の勾配で、開口端に向かって下方傾斜しているものでは、雨が降ったり、水まきをしたときに、凹溝内に流入した水が低い方向に流れ、開口端から排出されるため、凹溝の底部に溜まった汚れを容易に除去できる。
【００１２】
また、凹溝の底部が、非透水性被膜で覆われているものでは、凹溝内に流入した水が、床材の内部に吸収されることなくスムーズに流れるため、凹溝の底部に溜まった汚れをより一層容易に排出することができる。
【発明を実施するための最良の形態】
【００１３】
以下、本発明にかかる保水性床材の一実施形態について、図面に基づいて詳細に説明する。
本実施形態の保水性床材１ａは、内径０．０１ｍｍ〜０．１ｍｍの微細な空隙を多数有する多孔質材料からなる床材本体１１と、床材本体１１の後述する凹溝２ａの底部２１ａを覆う非透水性被膜３ａで構成されている。
床材本体１１は、図１、図２に示すように、一辺約１５０ｍｍ、厚さ約１５ｍｍの平面視略正方形の板状に形成されている。床材本体１１の表面には、図１、図２に示すように、多数の凹溝２ａが、床材の一辺に略平行に連続して形成されており、床材本体１１の縦断面形状が鋸歯形となっている。
凹溝２ａは、図３、図４に示すように、深さＨ＝５ｍｍ、ピッチＷ＝５ｍｍで形成されており、凹溝２ａの長さ方向両端が、床材本体１１の周縁に開口している。そして、隣り合う凹溝２ａ，２ａ間には、凸部４ａが形成されている。
非透水性被膜３ａは、凹溝２ａの底部２１ａに沿って、エポキシ樹脂系塗料を幅Ｌ＝３ｍｍで塗布することにより形成されている。
さらに、凹溝２ａの底部２１ａは、図５に示すように、勾配１／１００で、凹溝２ａの一方の開口端に向かって下方傾斜している。
【００１４】
以上詳述したように、本実施形態の保水性床材１ａによれば、床材本体１１の表面に、所定深さの凹溝２ａが所定ピッチで形成され、床材本体１１の縦断面形状が鋸歯形であるので、足裏Ｐは、図６に示すように、多数の凸部４ａに支持される。そのため、歩行時の違和感がない上、足を踏み込んでも、足裏Ｐが凹溝２ａの内面に接触せず、床材表面に粉塵やほこりが付着したり、履物の裏面の汚れなどが、足で踏み込まれて、凹溝２ａに押し固められてしまうのを確実に防止できる。また、凹溝２ａ内に傾斜面を有するため、傾斜面に自然に溜まる粉塵やほこりを雨水等で洗い流して凹溝２ａの底部２１ａに集めることができ、傾斜面の目詰まりを防止できる。その結果、床材表面の美観および床材表面から水分を吸収する能力を長期間良好に保つことができる。
また、凹溝２ａの長さ方向両端が、床材の周縁に開口しているとともに、凹溝２ａの底部２１ａが、凹溝２ａの一方の開口端に向かって下方傾斜しているので、雨が降ったり、水まきをしたときに、凹溝２ａ内に流入した水が低い方向に流れ、開口端から排出されるため、凹溝２ａの底部２１ａに溜まった汚れを容易に除去できる。
さらに、凹溝２ａの底部２１ａが、非透水性被膜３ａで覆われているので、凹溝２ａ内に流入した水が、床材の内部に吸収されることなく流れ、凹溝２ａの底部２１ａに溜まった汚れをより一層容易に排出することができる。
【００１５】
ところで、保水性床材１ａの敷設場所については、例えば、道路、ガレージ、ベランダ、屋上等が挙げられる。敷設場所の広さに応じて、必要数の保水性床材１ａを並べて配置すればよい。また、保水性床材１ａは、直接床上に敷設してもよいが、合成樹脂製の枠体の上に、接着剤などで固定し、ユニット式の床材として敷設してもよい。
【００１６】
また、床材本体１１の縦断面形状は、鋸歯形に限られず、図７に示す保水性床材１ｂのように、山形であってもよいし、図８に示す保水性床材１ｃのように、波形であってもよい。
さらに、凹溝の深さＨ、ピッチＷは、上記実施形態の寸法に限られないが、足裏Ｐが凹溝の内面に接触しないように、深さＨは２ｍｍ〜５ｍｍの範囲、ピッチＷは５ｍｍ〜２５ｍｍの範囲であることが必要である。
【００１７】
また、本実施形態の保水性床材１ａは、凹溝２ａの溝方向が床材の一辺に略平行となるように形成されているが、これに限られず、図９に示す保水性床材１ｄのように、凹溝２ａの溝方向が床材の対角線に略平行となるように形成されていてもよい。さらに、図１０に示す保水性床材１ｅのように、凹溝２ａの溝方向が床材表面の中央部から放射線状に形成されていてもよいし、図１１に示す床材１ｆのように、凹溝２ａの溝方向が床材の一辺に略平行となる部分と、床材の対角線に略平行となる部分とを組み合わせた形状であってもよい。
【００１８】
また、凹溝２ａ〜２ｃの底部２１ａ〜２１ｃは、必ずしも勾配を有していなくてもよいが、１／２００〜１／５０の勾配で傾斜していることが好ましい。また、凹溝２ａの底部２１ａが勾配を有する場合において、凹溝２ａの長さ方向の必ずしも両端が、床材本体１１の周縁に開口している必要はなく、少なくとも長さ方向の一端が、床材本体１１の周縁に開口していればよい。
【００１９】
さらに、凹溝２ａの底部２１ａは、床材本体１１の一端から他端に向かって傾斜する勾配に限られず、図１２に示すように、床材本体の中央部から床材の両端に向かって傾斜していてもよい。この場合においても、凹溝２ａの底部２１ａは、１／２００〜１／５０の勾配で傾斜していることが好ましい。
【００２０】
また、凹溝２ａの底部２１ａは、必ずしも非透水性被膜３ａで覆う必要はないが、優れた排水効果を得るためには、凹溝２ａの底部２１ａを幅Ｌ＝１ｍｍ〜３ｍｍで覆うことが好ましい。また、非透水性被膜３ａは、床材本体１１の内部に浸透しにくい性質のものであればよく、床材本体１１を成形後に、塗料を塗布しても形成してもよいし、釉薬を塗布した後、床材本体１１を焼成することによって形成してもよい。
なお、使用される塗料としては、例えば、アクリル樹脂、エポキシ樹脂、フッ素系塗料などが挙げられる。
【００２１】
さらに、本発明の保水性床材は、床材表面に、足裏Ｐを支持する多数の突起部と、隣接する突起部の間に形成される凹部とを備え、前記凹部が、足を踏み込んだときに足裏が接触しない程度の深さを有していればよいので、突起部は、線状に形成される場合に限られず、例えば、点状であってもよい。
【図面の簡単な説明】
【００２２】
【図１】本発明にかかる保水性床材の一実施形態を示す斜視図。
【図２】図１に示す保水性床材の凹溝の溝方向を示す説明図。
【図３】図１に示す保水性床材をＸ−Ｘ線で切断して示す縦断面図。
【図４】図３に示す保水性床材の凹溝を拡大して示す説明図。
【図５】図２に示す保水性床材の凹溝の底部の傾斜形状を示す模式図。
【図６】図１に示す保水性床材の上を歩行する様子を示す説明図。
【図７】凹溝の他の実施形態を拡大して示す説明図。
【図８】凹溝の他の実施形態を拡大して示す説明図。
【図９】凹溝の溝方向の他の実施形態を示す説明図。
【図１０】凹溝の溝方向の他の実施形態を示す説明図。
【図１１】凹溝の溝方向の他の実施形態を示す説明図。
【図１２】凹溝の底部の傾斜形状の他の実施形態を示す模式図。
【符号の説明】
【００２３】
１ａ〜１ｅ  保水性床材
１１        床材本体
２ａ〜２ｃ  凹溝(凹部)
２１ａ      凹溝の底部
２１ｂ      凹溝の底部
２１ｃ      凹溝の底部
３ａ〜３ｃ  非透水性被膜
４ａ〜４ｃ  凸部（突起部）
Ｈ          凹溝の深さ
Ｗ          凹溝のピッチ
【図１】
2009102938.tif 000003
【図２】
2009102938.tif 000004
【図３】
2009102938.tif 000005
【図４】
2009102938.tif 000006
【図５】
2009102938.tif 000007
【図６】
2009102938.tif 000008
【図７】
2009102938.tif 000009
【図８】
2009102938.tif 000010
【図９】
2009102938.tif 000011
【図１０】
2009102938.tif 000012
【図１１】
2009102938.tif 000013
【図１２】
2009102938.tif 000014